(57)【要約】【課題】利用者によるタスクの実施の可能性を向上させることができる情報処理装置を提供する。【解決手段】情報処理装置１２は、電気通信回線を介して行われた利用者の投稿から、利用者が実施することを忘れたタスクの情報である忘却タスク情報を取得する忘却タスク情報取得部３２と、自動車１０の現在位置情報を取得する現在位置情報取得部４０と、取得された忘却タスク情報と取得された現在位置情報とに基づいて、利用者に忘却したタスクに関する報知を行うようにディスプレイ２８およびスピーカ３０を制御する報知制御部４４と、を有する。【選択図】図１
2020139892.tif 000002
【特許請求の範囲】
【請求項１】
電気通信回線を介して行われた利用者の投稿から、前記利用者が実施することを忘れたタスクの情報である忘却タスク情報を取得する忘却タスク情報取得部と、
移動体の位置情報を取得する位置情報取得部と、
取得された前記忘却タスク情報と取得された前記位置情報とに基づいて、前記利用者に忘却した前記タスクに関する報知を行うように報知部を制御する報知制御部と、
を有する、情報処理装置。
【請求項２】
請求項１に記載の情報処理装置であって、
前記タスクが実施される位置である実施位置の情報を取得する実施位置情報取得部を有し、
前記報知制御部は、取得された前記位置情報と、取得された前記実施位置の情報とに基づき、前記移動体が、前記実施位置に対して所定範囲内に位置する場合に、前記報知を行うように前記報知部を制御する、情報処理装置。
【請求項３】
請求項１または２に記載の情報処理装置であって、
前記利用者が登録した位置である登録位置の情報を取得する登録位置情報取得部を有し、
前記報知制御部は、取得された前記位置情報と、取得された前記登録位置の情報とに基づき、前記移動体が、前記登録位置に対して所定範囲内に位置する場合に、前記報知を行うように前記報知部を制御する、情報処理装置。
【請求項４】
請求項１〜３のいずれか１項に記載の情報処理装置であって、
前記報知制御部は、前記移動体の動力源が駆動されている場合であって、かつ、前記移動体のシフトポジションがパーキングである場合に、前記報知を行うように前記報知部を制御する、情報処理装置。
【請求項５】
請求項１〜４のいずれか１項に記載の情報処理装置であって、
前記報知制御部は、前記忘却タスク情報が購入に関する前記タスクの情報である場合に、前記報知を行うように前記報知部を制御する、情報処理装置。
【請求項６】
請求項１〜５のいずれか１項に記載の情報処理装置であって、
前記移動体を目的地に移動させる経路の情報を取得する経路情報取得部を有し、
前記経路は、前記忘却タスク情報に応じて設定される、情報処理装置。
【請求項７】
電気通信回線を介して行われた利用者の投稿から、前記利用者が実施することを忘れたタスクの情報である忘却タスク情報を取得する忘却タスク情報取得ステップと、
移動体の位置情報を取得する位置情報取得ステップと、
取得された前記忘却タスク情報と取得された前記位置情報とに基づいて、前記利用者に忘却した前記タスクに関する報知を行う報知ステップと、
を有する、情報処理方法。
【発明の詳細な説明】
【技術分野】
【０００１】
本発明は、移動体の利用者に忘却したタスクの実行をうながす報知を行う情報処理装置および情報処理方法に関する。
【背景技術】
【０００２】
特許文献１には、車両が店に立ち寄ったときに、立ち寄った店で購入すべき品物を案内するナビゲーション装置が開示されている。
【先行技術文献】
【特許文献】
【０００３】
【特許文献１】特開２０１０−１２２００５号公報
【発明の概要】
【発明が解決しようとする課題】
【０００４】
しかしながら、上記の特許文献１に記載された技術では、移動体がタスクを実施すべき場所に立ち寄らない場合には、利用者にタスクの実施をうながす報知を行わないため、利用者はタスクの実施を忘却するおそれがあった。
【０００５】
本発明は、上記の問題を解決するためになされたものであり、利用者によるタスクの実施の可能性を向上させることができる情報処理装置および情報処理方法に関する。
【課題を解決するための手段】
【０００６】
本発明の第１の態様は、情報処理装置であって、電気通信回線を介して行われた利用者の投稿から、前記利用者が実施することを忘れたタスクの情報である忘却タスク情報を取得する忘却タスク情報取得部と、移動体の位置情報を取得する位置情報取得部と、取得された前記忘却タスク情報と取得された前記位置情報とに基づいて、前記利用者に忘却した前記タスクに関する報知を行うように報知部を制御する報知制御部と、を有する。
【０００７】
本発明の第２の態様は、情報処理方法であって、電気通信回線を介して行われた利用者の投稿から、前記利用者が実施することを忘れたタスクの情報である忘却タスク情報を取得する忘却タスク情報取得ステップと、移動体の位置情報を取得する位置情報取得ステップと、取得された前記忘却タスク情報と取得された前記位置情報とに基づいて、前記利用者に忘却した前記タスクに関する報知を行う報知ステップと、を有する。
【発明の効果】
【０００８】
本発明の情報処理装置および情報処理方法により、利用者によるタスクの実施の可能性を向上させることができる。
【図面の簡単な説明】
【０００９】
【図１】情報処理装置の構成を示すブロック図である。
【図２】自動車の利用者のＳＮＳへの投稿の例を示す図である。
【図３】仮想アシスタントによる報知の例を示す図である。
【図４】仮想アシスタントによる報知の例を示す図である。
【図５】自動車の利用者のＳＮＳへの投稿の例を示す図である。
【図６】仮想アシスタントによる報知の例を示す図である。
【図７】自動車の利用者のＳＮＳへの投稿の例を示す図である。
【図８】仮想アシスタントによる報知の例を示す図である。
【図９】忘却タスク情報取得処理の流れを示すフローチャートである。
【図１０】報知制御処理の流れを示すフローチャートである。
【図１１】経路設定処理の流れを示すフローチャートである。
【図１２】報知制御処理の流れを示すフローチャートである。
【図１３】仮想アシスタントによる報知の例を示す図である。
【図１４】報知制御処理の流れを示すフローチャートである。
【図１５】報知制御処理の流れを示すフローチャートである。
【発明を実施するための形態】
【００１０】
〔第１の実施の形態〕
［情報処理装置の構成］
図１は、本実施の形態の情報処理装置１２の構成を示すブロック図である。本実施の形態の情報処理装置１２は自動車１０に搭載されているが、情報処理装置１２は、利用者が自動車１０に持ち込むスマートフォン、タブレットまたはパーソナルコンピュータ等の情報処理機器に搭載されていてもよい。また、情報処理装置１２は、自動車１０と通信を行うことが可能な自動車１０の外部に設置されたサーバに搭載されていてもよい。なお、自動車１０は、本発明の移動体に相当する。
【００１１】
情報処理装置１２は、自動車１０に乗車している利用者が電子通信回線を介して行ったソーシャル・ネットワーキング・サービス（以下、ＳＮＳと記載する）への投稿を解析し、自動車１０の利用者が実施することを忘れたタスクの情報を取得する。本実施の形態において、利用者とは、ＳＮＳの利用者のことを示しているのではなく、自動車１０に乗車している乗員、または、自動車１０を所有している所有者等のことを示す。ただし、自動車１０の利用者がＳＮＳを利用していることを前提としている。また、以下では、利用者が実施することを忘れたタスクを忘却タスク、また、忘却タスクの情報を忘却タスク情報と記載する。そして、情報処理装置１２は、取得された忘却タスク情報に基づいて、後述する仮想アシスタント４６を介して、利用者に忘却タスクに関する報知を行う。
【００１２】
例えば、利用者がＳＮＳに「また牛乳を買うのを忘れた！明日は買わないと」という内容の投稿をしている場合には、自動車１０がスーパーマーケットの近くを通るときに、仮想アシスタント４６が「牛乳を買い忘れていませんか？近くにスーパーがありますよ」と報知を行う。
【００１３】
なお、情報処理装置１２は、ＳＮＳの投稿に代えて、ブログのブログエントリ等、利用者が作成した利用者自身の日常生活を記録する記事および日記等を解析して、利用者の忘却タスクの情報を取得してもよい。
【００１４】
情報処理装置１２は、自動車１０に搭載されている以下の入力装置から情報を入力する。自動車１０には、入力装置として、通信装置１４、タッチパネル１６、測位装置１８およびナビゲーション装置２０が搭載されている。
【００１５】
通信装置１４は、不図示の外部機器との間で電気通信回線を介して通信を行う。外部機器は、例えば、渋滞情報、工事情報等の道路情報を配信する道路情報配信サーバ、気象情報を配信する気象情報配信サーバ等である。通信装置１４は、テレマティクスコントロールユニット（ＴＣＵ）等のように自動車１０に専用に設けられるものであってもよいし、携帯電話やスマートフォン等が通信装置１４として用いられてもよい。
【００１６】
タッチパネル１６は、後述するディスプレイ２８の画面上に貼着された透明なフィルム状の部材であって、利用者の指やスタイラス等が触れた位置の情報を操作位置情報として取得する。情報処理装置１２には、タッチパネル１６により取得された操作位置情報と、ディスプレイ２８に表示されたアイコン等の表示位置との関係に基づき、利用者からの指示が入力される。
【００１７】
測位装置１８は、自動車１０の現在位置の情報を現在位置情報として取得する。自動車１０は、測位装置１８として、人工衛星から発信される信号を用いて自動車１０の位置を測定する全球測位衛星システム（ＧＮＳＳ）２２、および、３軸のジャイロと３方向の加速度センサを用いて自動車１０の三次元の挙動を取得する慣性計測装置（ＩＭＵ）２４を有している。
【００１８】
ナビゲーション装置２０は、地図データベース２６に基づき作成した地図を後述するディスプレイ２８に表示させ、また、その地図上に測位装置１８において取得された自動車１０の現在位置情報を表示させる。さらに、ナビゲーション装置２０は、利用者の後述するタッチパネル１６の操作に基づき自動車１０の目的地を設定し、自動車１０の現在位置から目的地までの経路を設定する。ナビゲーション装置２０は、設定した経路に基づいて経路案内を表示するようにディスプレイ２８を制御する。また、ナビゲーション装置２０は、設定した経路に基づいて経路案内を発声するように後述するスピーカ３０を制御する。地図データベース２６の情報、および、ナビゲーション装置２０において設定された目的地および経路の情報は、情報処理装置１２に入力される。なお、地図データベース２６は、自動車１０に搭載されていなくともよく、通信装置１４を介して、外部に設置されたサーバから地図情報を取得するようにしてもよい。
【００１９】
情報処理装置１２は、自動車１０に搭載されている以下の出力装置に情報を出力する。出力装置として自動車１０には、ディスプレイ２８およびスピーカ３０が搭載されている。
ディスプレイ２８は、文字、画像等により利用者に情報の提供や報知を行う。
スピーカ３０は、音、音声、音楽等により利用者に情報の提供や報知を行う。
なお、ディスプレイ２８およびスピーカ３０は、本発明の報知部に相当する。
【００２０】
情報処理装置１２は、忘却タスク情報取得部３２、実施位置情報取得部３４、登録位置情報取得部３６、記憶部３８、現在位置情報取得部４０、経路情報取得部４２および報知制御部４４を有している。
【００２１】
忘却タスク情報取得部３２は、自動車１０に乗車している利用者のＳＮＳへの投稿を解析し、利用者の忘却タスク情報を取得する。
【００２２】
実施位置情報取得部３４は、取得された忘却タスクが実施される位置の情報を実施位置情報として取得する。例えば、忘却タスクが牛乳の購入であれば、スーパーマーケット、コンビニエンスストア等が実施位置情報として取得される。
【００２３】
登録位置情報取得部３６は、自動車１０に乗車している利用者により登録された位置（以下、登録位置と記載する）の情報を登録位置情報として取得する。登録位置情報として、例えば、自宅の位置情報、職場の位置情報等が登録される。
【００２４】
記憶部３８は、取得された忘却タスク情報と、取得された忘却タスク情報に対応する実施位置情報を対応付けて記憶する。なお、１つの忘却タスクに対する実施位置は１箇所とは限らない。例えば、忘却タスクが牛乳の購入である場合、特定のスーパーマーケットが実施位置となるわけではなく、牛乳を取り扱っているすべての店舗が実施位置となりうる。また、記憶部３８に記憶されている忘却タスク情報および実施位置情報は、所定期間（例えば１週間）が経過すると削除される。さらに、記憶部３８は、取得された登録位置情報を記憶する。
【００２５】
現在位置情報取得部４０は、測位装置１８から自動車１０の現在位置の情報を取得する。
経路情報取得部４２は、ナビゲーション装置２０から経路の情報を取得する。なお、現在位置情報取得部４０は、本発明の位置情報取得部に相当する。
【００２６】
報知制御部４４は、忘却タスク情報と実施位置情報とに基づき、後述する仮想アシスタント４６を制御する。
【００２７】
忘却タスク情報取得部３２、実施位置情報取得部３４、登録位置情報取得部３６、現在位置情報取得部４０、経路情報取得部４２および報知制御部４４は、図示しない記憶媒体に記憶されているプログラムがコンピュータに実行されることにより実現される。
【００２８】
［ＳＮＳへの投稿と仮想アシスタントによる報知の具体例］
（例１）
図２は、自動車１０に乗車中の利用者のＳＮＳへの投稿の例を示す図である。図３は、仮想アシスタント４６による報知の例を示す図である。図４は、仮想アシスタント４６による報知の別の例を示す図である。
【００２９】
仮想アシスタント４６はディスプレイ２８に表示される。また、仮想アシスタント４６の音声がスピーカ３０から発声される。本実施の形態の仮想アシスタント４６は、人をモチーフにしたキャラクタとして表示されるが、動物、ロボット等をモチーフにしたキャラクタとして表示されるようにしてもよい。また、実際に人を撮影した映像を表示させるようにしてもよい。さらには、仮想アシスタント４６はディスプレイ２８に表示されず、音声のみがスピーカ３０から発声されるようにしてもよい。
【００３０】
図２に示されるように、利用者は「また牛乳を買うのを忘れた！明日は買わないと」と投稿した。このような投稿があった場合、図３に示されるように、仮想アシスタント４６は、図２に示される投稿がされた翌日、自動車１０がスーパーマーケットの近くを走行しているときに「牛乳を買い忘れていませんか？近くにスーパーがありますよ」と利用者に呼びかける。また、ディスプレイ２８に自動車１０の周辺の地図４８を表示させ、地図４８上に、自動車１０の現在位置５０と近隣のスーパーマーケット５２とを表示させる。
【００３１】
ナビゲーション装置２０において、自動車１０の目的地が設定されている場合には、次のように、仮想アシスタント４６による報知が行われるようにしてもよい。図４に示されるように、仮想アシスタント４６は、図２に示される投稿がされた翌日、自動車１０が利用者の自宅を出発する前に「牛乳を買い忘れていませんか？コンビニエンスストアを経由する経路を設定しました」と利用者に呼びかける。また、ディスプレイ２８に地図４８を表示させ、地図４８上に、自動車１０の現在位置５０とコンビニエンスストア５４までの経路５６を表示させてもよい。
【００３２】
（例２）
図５は、利用者のＳＮＳへの投稿の例を示す図である。図６は、仮想アシスタント４６による報知の例を示す図である。
【００３３】
図５に示されるように、利用者は「また会社にスマホを忘れた！今月に入って４回目だ」と投稿した。このような投稿があった場合、図６に示されるように、仮想アシスタント４６は、図５に示される投稿がされた翌日、自動車１０が利用者の職場から出発する前に「会社にスマートフォンを忘れていませんか？」と利用者に呼びかける。なお、利用者は「今月に入って４回目だ」と投稿していることから、数日間にわたって、仮想アシスタント４６による報知が行われるようにしてもよい。また、利用者が忘れ物をしやすい性格であると判定し、「会社に家の鍵を忘れていませんか？」といったように、別のタスクに関しても、仮想アシスタント４６による報知が行われるようにしてもよい。
【００３４】
（例３）
図７は、自動車１０に乗車中の利用者のＳＮＳへの投稿の例を示す図である。図８は、仮想アシスタント４６による報知の例を示す図である。
【００３５】
図７に示されるように、利用者は「リビングのエアコンをつけっぱなしで、会社にきちゃった  電気代がもったいない」と投稿した。このような投稿があった場合、図８に示されるように、仮想アシスタント４６は、図７に示される投稿がされた翌日、自動車１０が利用者の自宅から出発する前に「リビングのエアコンを消し忘れていませんか？」と利用者に呼びかける。
【００３６】
［忘却タスク情報取得処理］
図９は、忘却タスク情報取得処理の流れを示すフローチャートである。忘却タスク情報取得処理は、例えば、自動車１０が起動される度に、または、所定の周期毎に、情報処理装置１２において実行される。
【００３７】
ステップＳ１において、忘却タスク情報取得部３２は、利用者のＳＮＳへの投稿を取得して、ステップＳ２へ移行する。忘却タスク情報取得部３２は、例えば、最近１週間以内の投稿を取得する。
【００３８】
ステップＳ２において、忘却タスク情報取得部３２は、取得した投稿を解析し、忘却タスク情報を取得して、ステップＳ３へ移行する。
【００３９】
ステップＳ３において、実施位置情報取得部３４は、忘却タスク情報に基づいて忘却タスクの実施位置情報を取得して、ステップＳ４へ移行する。例えば、忘却タスクが食品の購入に関するものであれば、スーパーマーケットやコンビニエンスストアの位置情報が実施位置情報として取得される。また、実施位置情報取得部３４は、投稿の内容を解析して、忘却タスクの実施位置情報を取得するようにしてもよい。例えば、利用者が「また会社にスマホを忘れた！」という内容の投稿を行った場合には、利用者の職場の位置情報が実施位置情報として取得される。
【００４０】
ステップＳ４において、忘却タスク情報取得部３２は、忘却タスク情報と、忘却タスク情報に対応する実施位置情報とを記憶部３８に記憶させて、忘却タスク情報取得処理を終了する。
【００４１】
［報知制御処理］
図１０は、報知制御処理の流れを示すフローチャートである。報知制御処理は、自動車１０が起動されている間、所定の周期毎に情報処理装置１２において実行される。
【００４２】
ステップＳ１１において、報知制御部４４は、記憶部３８に忘却タスク情報が記憶されているか否かを判定する。忘却タスク情報が記憶されている場合にはステップＳ１２へ移行し、忘却タスク情報が記憶されていない場合には報知制御処理を終了する。
【００４３】
ステップＳ１２において、現在位置情報取得部４０は、自動車１０の現在位置情報を取得して、ステップＳ１３へ移行する。
【００４４】
ステップＳ１３において、報知制御部４４は、記憶部３８に記憶されている忘却タスク情報に対応する実施位置情報を読み出し、実施位置と自動車１０の現在位置との距離が所定距離未満であるか否かを判定する。実施位置と自動車１０の現在位置との距離が所定距離未満である場合にはステップＳ１４へ移行し、実施位置と自動車１０の現在位置との距離が所定距離以上である場合には報知制御処理を終了する。なお、実施位置と自動車１０の現在位置との距離が所定距離未満であるとは、自動車１０が実施位置に対して所定範囲内に位置することを意味する。
【００４５】
ステップＳ１４において、報知制御部４４は、実施位置と自動車１０の現在位置との距離が所定距離未満である忘却タスクについて、仮想アシスタント４６により実施を促す報知を行うように、ディスプレイ２８およびスピーカ３０を制御して、報知制御処理を終了する。
【００４６】
［経路設定処理］
図１１は、経路設定処理の流れを示すフローチャートである。経路設定処理は、自動車１０が起動される度に、もしくは、ナビゲーション装置２０において自動車１０の目的地が設定される度に、または、自動車１０が起動されている間、所定の周期毎に、情報処理装置１２において実行される。
【００４７】
ステップＳ２１において、報知制御部４４は、記憶部３８に忘却タスク情報が記憶されているか否かを判定する。忘却タスク情報が記憶されている場合にはステップＳ２２へ移行し、忘却タスク情報が記憶されていない場合には経路設定処理を終了する。
【００４８】
ステップＳ２２において、報知制御部４４は、忘却タスク情報に対応する実施位置情報をナビゲーション装置２０に送り、実施位置を経由する経路を設定するように指令して、ステップＳ２３へ移行する。
【００４９】
ステップＳ２３において、経路情報取得部４２は、ナビゲーション装置２０から設定された実施位置を経由する経路の情報を取得して、ステップＳ２４へ移行する。
【００５０】
ステップＳ２４において、報知制御部４４は、地図上に取得した経路の情報を表示させるようにディスプレイ２８を制御して、経路設定処理を終了する。
【００５１】
［作用効果］
情報処理装置１２は、利用者によるＳＮＳの投稿を解析することにより、利用者が実施することを忘れたタスク（忘却タスク）を取得することができる。例えば「また牛乳を買うのを忘れた！」という内容の利用者の投稿から、「牛乳の購入」が忘却タスクとして取得される。そして、情報処理装置１２は、取得された忘却タスクに基づいて、牛乳の購入の実施を促す報知を行うことができる。
【００５２】
しかし、忘却タスクの実施を促す報知は、適切なタイミングで行われなければ、報知が行われることにより得られる効果が縮小化するおそれがある。例えば、自動車１０の現在位置から牛乳を取り扱っている店舗が遠いときに、牛乳の購入の実施を促す報知が行われても、報知が行われてから店舗に到着するまでの時間が経過しているため、利用者が牛乳の購入を忘れる可能性は高くなる。
【００５３】
そこで、本実施の形態の情報処理装置１２は、忘却タスク情報と自動車１０の現在位置情報とに基づいて、利用者に忘却タスクを実施することを促す報知を行う。これにより、利用者が忘却タスクを実施する可能性を向上させることができる。
【００５４】
また、本実施の形態の情報処理装置１２は、自動車１０が忘却タスクの実施位置に対して所定範囲内に位置する場合に、利用者に忘却タスクを実施することを促す報知を行う。これにより、利用者が忘却タスクを実施する可能性をさらに向上させることができる。
【００５５】
さらに、本実施の形態の情報処理装置１２は、自動車１０が目的地へ到達するための経路を、忘却タスクの実施位置を経由する経路に設定する。これにより、利用者は実施位置を経由することとなり、利用者が忘却タスクを実施する可能性をさらに向上させることができる。
【００５６】
〔第２の実施の形態〕
本実施の形態の情報処理装置１２では、第１の実施の形態の情報処理装置１２において行われる報知制御処理に追加して、以下に説明する報知制御処理が行われる。
【００５７】
［報知制御処理］
図１２は、報知制御処理の流れを示すフローチャートである。報知制御処理は、自動車１０が起動されている間、所定の周期毎に情報処理装置１２において実行される。
【００５８】
ステップＳ３１において、報知制御部４４は、記憶部３８に忘却タスク情報が記憶されているか否かを判定する。忘却タスク情報が記憶されている場合にはステップＳ３２へ移行し、忘却タスク情報が記憶されていない場合には報知制御処理を終了する。
【００５９】
ステップＳ３２において、現在位置情報取得部４０は、自動車１０の現在位置情報を取得して、ステップＳ３３へ移行する。
【００６０】
ステップＳ３３において、報知制御部４４は、記憶部３８に記憶されている登録位置情報を読み出し、登録位置と自動車１０の現在位置との距離が所定距離未満であるか否かを判定する。登録位置と自動車１０の現在位置との距離が所定距離未満である場合にはステップＳ３４へ移行し、実施位置と自動車１０の現在位置との距離が所定距離以上である場合には報知制御処理を終了する。なお、登録位置と自動車１０の現在位置との距離が所定距離未満であるとは、自動車１０が登録位置に対して所定範囲内に位置することを意味する。
【００６１】
ステップＳ３４において、報知制御部４４は、登録位置付近において、仮想アシスタント４６により忘却タスクの確認を促す報知を行うように、ディスプレイ２８およびスピーカ３０を制御して、報知制御処理を終了する。
【００６２】
［仮想アシスタントによる報知の具体例］
図１３は、仮想アシスタント４６による報知の例を示す図である。ここで、利用者により登録位置として自宅が設定されていると仮定する。図１３に示されるように、仮想アシスタント４６は、自動車１０が自宅の近くにあるときに「家に忘れ物はありませんか？」と利用者に呼びかける。
【００６３】
［作用効果］
本実施の形態の情報処理装置１２では、第１の実施の形態の情報処理装置１２のように、具体的な忘却タスクの実施を促す報知を行うことに加えて、記憶部３８に忘却タスク情報がある場合には、忘却タスクの確認を促す報知を行う。
【００６４】
利用者は、特定のタスクの実施を忘れやすく、また、そのタスクが実施すべき場所は限られた場所であることが多い。利用者にあらかじめ忘却タスクの確認を促す報知を行って欲しい箇所を登録位置として登録してもらい、登録位置付近で忘却タスクの確認を促す報知を行うことにより、利用者の忘却タスクを減少させることができる。
【００６５】
また、利用者があるタスクの実施を忘れた場合には、別のタスクの実施も忘れている可能性が高い。利用者によりＳＮＳに忘却タスクに関する投稿がなされている場合に、登録位置付近で忘却タスクの確認を促す報知を行うことにより、報知を頻発することなく、利用者がタスクの実施を忘れやすいタイミングで報知を行うことができる。
【００６６】
〔第３の実施の形態〕
本実施の形態の情報処理装置１２は、報知制御処理の内容が、第１の実施の形態の情報処理装置１２において行われる報知制御処理と一部異なる。
【００６７】
［報知制御処理］
図１４は、報知制御処理の流れを示すフローチャートである。報知制御処理は、自動車１０が起動されている間、所定の周期毎に情報処理装置１２において実行される。
【００６８】
ステップＳ４１において、報知制御部４４は、自動車１０の駆動源が駆動中であるか否かを判定する。駆動源が駆動中である場合にはステップＳ４２へ移行し、駆動源が停止中である場合には報知制御処理を終了する。自動車１０の駆動源とは、エンジン、駆動モータを示す。駆動モータが駆動中であるとは、駆動モータの電源が投入されている状態であって、駆動モータが回転駆動している必要はない。
【００６９】
ステップＳ４２において、報知制御部４４は、選択されているシフトポジションがパーキングであるか否かを判定する。シフトポジションがパーキングである場合にはステップＳ４３へ移行し、シフトポジションがパーキングでない場合には報知制御処理を終了する。
【００７０】
ステップＳ４３において、報知制御部４４は、記憶部３８に忘却タスク情報が記憶されているか否かを判定する。忘却タスク情報が記憶されている場合にはステップＳ４４移行し、忘却タスク情報が記憶されていない場合には報知制御処理を終了する。
【００７１】
ステップＳ４４において、現在位置情報取得部４０は、自動車１０の現在位置情報を取得して、ステップＳ４５へ移行する。
【００７２】
ステップＳ４５において、報知制御部４４は、記憶部３８に記憶されている忘却タスク情報に対応する実施位置情報を読み出し、実施位置と自動車１０の現在位置との距離が所定距離未満であるか否かを判定する。実施位置と自動車１０の現在位置との距離が所定距離未満である場合にはステップＳ４６へ移行し、実施位置と自動車１０の現在位置との距離が所定距離以上である場合には報知制御処理を終了する。なお、実施位置と自動車１０の現在位置との距離が所定距離未満であるとは、自動車１０が実施位置に対して所定範囲内に位置することを意味する。
【００７３】
ステップＳ４６において、報知制御部４４は、実施位置と自動車１０の現在位置との距離が所定距離未満である忘却タスクについて、仮想アシスタント４６により実施を促す報知を行うように、ディスプレイ２８およびスピーカ３０を制御して、報知制御処理を終了する。
【００７４】
［作用効果］
本実施の形態の情報処理装置１２は、自動車１０が起動されている状態であって、かつ、自動車１０が停止している状態である場合に、仮想アシスタント４６により忘却タスクの実施を促す報知を行う。これにより、自動車１０が起動されてから自動車１０が出発する前に、報知を行うことができる。
【００７５】
第２の実施の形態の情報処理装置１２の報知制御処理を一部変更して、第３の実施の形態と同様に、自動車１０が起動されている状態であって、かつ、自動車１０が停止している状態である場合に、仮想アシスタント４６により忘却タスクの確認を促す報知を行うようにしてもよい。
【００７６】
〔第４の実施の形態〕
本実施の形態の情報処理装置１２は、報知制御処理の内容が、第１の実施の形態の情報処理装置１２において行われる報知制御処理と一部異なる。
【００７７】
［報知制御処理］
図１５は、報知制御処理の流れを示すフローチャートである。報知制御処理は、自動車１０が起動されている間、所定の周期毎に情報処理装置１２において実行される。
【００７８】
ステップＳ５１において、報知制御部４４は、記憶部３８に忘却タスク情報が記憶されているか否かを判定する。忘却タスク情報が記憶されている場合にはステップＳ５２へ移行し、忘却タスク情報が記憶されていない場合には報知制御処理を終了する。
【００７９】
ステップＳ５２において、現在位置情報取得部４０は、自動車１０の現在位置情報を取得して、ステップＳ５３へ移行する。
【００８０】
ステップＳ５３において、報知制御部４４は、記憶部３８に記憶されている忘却タスク情報に対応する実施位置情報を読み出し、実施位置と自動車１０の現在位置との距離が所定距離未満であるか否かを判定する。実施位置と自動車１０の現在位置との距離が所定距離未満である場合にはステップＳ５４へ移行し、実施位置と自動車１０の現在位置との距離が所定距離以上である場合には報知制御処理を終了する。なお、実施位置と自動車１０の現在位置との距離が所定距離未満であるとは、自動車１０が実施位置に対して所定範囲内に位置することを意味する。
【００８１】
ステップＳ５４において、報知制御部４４は、忘却タスクが物品の購入に関するタスクであるか否かを判定する。忘却タスクが物品の購入に関するタスクである場合にはステップＳ５５へ移行し、忘却タスクが物品の購入に関するタスクでない場合には報知制御処理を終了する。
【００８２】
ステップＳ５５において、報知制御部４４は、実施位置と自動車１０の現在位置との距離が所定距離未満である忘却タスクについて、仮想アシスタント４６により実施を促す報知を行うように、ディスプレイ２８およびスピーカ３０を制御して、報知制御処理を終了する。
【００８３】
［作用効果］
本実施の形態の情報処理装置１２は、忘却タスクが物品の購入に関するタスクである場合に、忘却タスクの実行を促す報知を行うようにした。利用者は、物品を購入するために、自動車１０に乗って店舗に移動することが多いと考えられる。利用者に対して行われる報知を、物品の購入に関する忘却タスクの実行を促すものに限ることにより、タスクを実施するために、自動車１０を利用する必要があるタスクに絞って、実施を促す報知を行うことができる。
【００８４】
〔実施の形態から得られる技術的思想〕
上記実施の形態から把握しうる技術的思想について、以下に記載する。
【００８５】
情報処理装置（１２）は、電気通信回線を介して行われた利用者の投稿から、前記利用者が実施することを忘れたタスクの情報である忘却タスク情報を取得する忘却タスク情報取得部（３２）と、移動体（１０）の位置情報を取得する位置情報取得部（４０）と、取得された前記忘却タスク情報と取得された前記位置情報とに基づいて、前記利用者に忘却した前記タスクに関する報知を行うように報知部（２８、３０）を制御する報知制御部（４４）と、を有する。これにより、利用者が忘却タスクを実施する可能性を向上させることができる。
【００８６】
上記の情報処理装置であって、前記タスクが実施される位置である実施位置の情報を取得する実施位置情報取得部（３４）を有し、前記報知制御部は、取得された前記位置情報と、取得された前記実施位置の情報とに基づき、前記移動体が、前記実施位置に対して所定範囲内に位置する場合に、前記報知を行うように前記報知部を制御してもよい。これにより、利用者は実施位置を経由することとなり、利用者が忘却タスクを実施する可能性をさらに向上させることができる。
【００８７】
上記の情報処理装置であって、前記利用者が登録した位置である登録位置の情報を取得する登録位置情報取得部（３６）を有し、前記報知制御部は、取得された前記位置情報と、取得された前記登録位置の情報とに基づき、前記移動体が、前記登録位置に対して所定範囲内に位置する場合に、前記報知を行うように前記報知部を制御してもよい。これにより、報知を頻発することなく、利用者がタスクの実施を忘れやすいタイミングで報知を行うことができる。
【００８８】
上記の情報処理装置であって、前記報知制御部は、前記移動体の動力源が駆動されている場合であって、かつ、前記移動体のシフトポジションがパーキングである場合に、前記報知を行うように前記報知部を制御してもよい。これにより、移動体が起動されてから移動体が出発する前に、報知を行うことができる。
【００８９】
上記の情報処理装置であって、前記報知制御部は、前記忘却タスク情報が購入に関する前記タスクの情報である場合に、前記報知を行うように前記報知部を制御してもよい。これにより、タスクを実施するために、移動体を利用する必要があるタスクに絞って、実施を促す報知を行うことができる。
【００９０】
上記の情報処理装置であって、前記移動体を目的地に移動させる経路の情報を取得する経路情報取得部（４２）を有し、前記経路は、前記忘却タスク情報に応じて設定されていてもよい。これにより、利用者を忘却タスクの実施位置まで誘導することができ、利用者が忘却タスクを実施する可能性をさらに向上させることができる。
【００９１】
情報処理方法は、電気通信回線を介して行われた利用者の投稿から、前記利用者が実施することを忘れたタスクの情報である忘却タスク情報を取得する忘却タスク情報取得ステップと、移動体の位置情報を取得する位置情報取得ステップと、取得された前記忘却タスク情報と取得された前記位置情報とに基づいて、前記利用者に忘却した前記タスクに関する報知を行う報知ステップと、を有する。これにより、利用者が忘却タスクを実施する可能性を向上させることができる。
【符号の説明】
【００９２】
１０…自動車（移動体）                  １２…情報処理装置
２８…ディスプレイ（報知部）            ３０…スピーカ（報知部）
３２…忘却タスク情報取得部              ３４…実施位置情報取得部
３６…登録位置情報取得部                ４０…現在位置情報取得部
４２…経路情報取得部
【図１】
2020139892.tif 000003
【図２】
2020139892.tif 000004
【図３】
2020139892.tif 000005
【図４】
2020139892.tif 000006
【図５】
2020139892.tif 000007
【図６】
2020139892.tif 000008
【図７】
2020139892.tif 000009
【図８】
2020139892.tif 000010
【図９】
2020139892.tif 000011
【図１０】
2020139892.tif 000012
【図１１】
2020139892.tif 000013
【図１２】
2020139892.tif 000014
【図１３】
2020139892.tif 000015
【図１４】
2020139892.tif 000016
【図１５】
2020139892.tif 000017